(57)【要約】【課題】ビデオ通話画面における話題提供、更には婚活の進行レベルに応じた段階的なユーザ情報の提示を通じて、ユーザの婚活がより円滑に進行するように支援する。【解決手段】サーバ装置は、ユーザの情報端末と通信する通信部１２と、ユーザ情報を記憶する記憶部１３と、情報端末間のビデオ通話を制御するビデオ通話制御部１１ｃと、ビデオ通話の際に表示する画面において提示する話題を抽出する話題抽出部１１ｄと、ビデオ通話の回数に基づいて、ビデオ通話の際に画面に表示する項目を設定する表示項目設定部１１ｅと、話題及び前記項目に基づいて表示データを生成する表示データ生成部１１ｆとを備え、話題抽出部１１ｄは、ビデオ通話に係るユーザのユーザ情報のうち嗜好に係る情報についての共通項を抽出し、表示項目設定部１１ｅは、ビデオ通話の回数が多くなるに従って表示項目が詳細となるように設定する。【選択図】図２
2017138948.tif 000002
【特許請求の範囲】
【請求項１】
ユーザの結婚活動を支援するサーバ装置であって、
前記ユーザの情報端末と通信する通信部と、
前記ユーザのユーザ情報を記憶する記憶部と、
前記情報端末間のビデオ通話を制御するビデオ通話制御部と、
前記記憶部を参照して、前記ビデオ通話の際に表示する画面において提示する話題を抽出する話題抽出部と、
前記記憶部を参照して、前記ビデオ通話の回数に基づいて、前記ビデオ通話の際に画面に表示する項目を設定する表示項目設定部と、
前記話題及び前記項目に基づいて表示データを生成する表示データ生成部と、を備え、
前記話題抽出部は、前記ビデオ通話に係るユーザのユーザ情報のうち嗜好に係る情報についての共通項を抽出し、前記表示項目設定部は、ビデオ通話の回数が多くなるに従って表示項目が詳細となるように設定する
サーバ装置。
【請求項２】
前記表示項目設定部は、
第１回目の通話では、休日の過ごし方、趣味、好きな映画、本、人物、音楽、好きな場所を表示項目として設定し、
第２回目の通話では、自己ＰＲ、特技を表示項目として設定し、
交際中の通話では、結婚後の希望、絶対に譲れないことを表示項目として設定する
請求項１に記載のサーバ装置。
【請求項３】
前記話題抽出部は、
前記記憶部に記憶されたユーザ情報に含まれる趣味に関する興味の度合いを示す指標を参照し、ビデオ通話に係るユーザの共通項を当該指標に基づいて特定し、その共通項に係る趣味を話題として抽出する
請求項１又は請求項２に記載のサーバ装置。
【請求項４】
前記ビデオ通話の各回の終了時に、通話相手の好感度を入力する画面を前記情報端末にて表示させて好感度の入力を促し、入力された前記好感度を前記通話相手に通知するよう制御する主制御部を更に備えた
請求項１乃至請求項３のいずれか１項に記載のサーバ装置。
【請求項５】
複数のユーザの情報端末とサーバ装置とからなり、前記サーバ装置を介して複数のユーザの前記情報端末間でビデオ通話を行うことでユーザの結婚活動を支援する婚活支援システムであって、
前記情報端末は、
前記サーバ装置と通信する第１通信部と、
前記サーバ装置が提供するウェブサイトを閲覧する閲覧部と、を備え、
前記サーバ装置は、
前記ユーザの情報端末と通信する第２通信部と、
前記ユーザのユーザ情報を記憶する記憶部と、
前記情報端末間のビデオ通話を制御するビデオ通話制御部と、
前記記憶部を参照して、前記ビデオ通話の際に表示する画面において提示する話題を抽出する話題抽出部と、
前記記憶部を参照して、前記ビデオ通話の回数に基づいて、前記ビデオ通話の際に画面に表示する項目を設定する表示項目設定部と、
前記話題及び前記項目に基づいて表示データを生成する表示データ生成部と、を備え、
前記話題抽出部は、前記ビデオ通話に係るユーザのユーザ情報のうち嗜好に係る情報についての共通項を抽出し、前記表示項目設定部は、ビデオ通話の回数が多くなるに従って表示項目が詳細となるように設定する
婚活支援システム。
【請求項６】
コンピュータを、
情報端末間のビデオ通話を制御するビデオ通話制御部、
記憶部を参照して、前記ビデオ通話の際に表示する画面において提示する話題を抽出する話題抽出部、
前記記憶部を参照して、前記ビデオ通話の回数に基づいて、前記ビデオ通話の際に画面に表示する項目を設定する表示項目設定部、及び
前記話題及び前記項目に基づいて表示データを生成する表示データ生成部、
として機能させ、
前記話題抽出部が、前記ビデオ通話に係るユーザのユーザ情報のうち嗜好に係る情報についての共通項を抽出し、前記表示項目設定部が、ビデオ通話の回数が多くなるに従って表示項目が詳細となるように設定する
プログラム。
【請求項７】
ユーザの結婚活動を支援する方法であって、
サーバ装置が、
前記ユーザの情報端末と通信し、
前記ユーザのユーザ情報を記憶し、
前記情報端末間のビデオ通話を制御し、
記憶部を参照して、前記ビデオ通話の際に表示する画面において提示する話題を抽出し、
前記記憶部を参照して、前記ビデオ通話の回数に基づいて、前記ビデオ通話の際に画面に表示する項目を設定し、
前記話題及び前記項目に基づいて表示データを生成し、
前記話題の抽出では、ビデオ通話に係るユーザのユーザ情報のうち嗜好に係る情報についての共通項を抽出し、前記表示する項目の設定では、ビデオ通話の回数が多くなるに従って表示項目が詳細となるように設定する
婚活支援方法。
【請求項８】
ユーザの結婚活動を支援するサーバ装置であって、
前記ユーザ及び仲人の情報端末と通信する通信部と、
前記ユーザ及び仲人と関わりのあるユーザのユーザ情報を記憶する記憶部と、
前記情報端末間のビデオ通話を制御するビデオ通話制御部と、
前記記憶部を参照して、前記ビデオ通話の際に表示する画面において提示する話題を抽出する話題抽出部と、
前記話題に基づいて表示データを生成する表示データ生成部と、を備え、
前記話題抽出部は、予め設定された複数の話題の中から所定時間ごとにランダムに話題を抽出する
サーバ装置。
【請求項９】
ユーザの結婚活動を支援する婚活支援方法であって、
サーバ装置が、
前記ユーザ及び仲人の情報端末と通信し、
前記ユーザ及び仲人と関わりのあるユーザのユーザ情報を記憶し、
前記情報端末間のビデオ通話を制御し、
記憶部を参照して、前記ビデオ通話の際に表示する画面において提示する話題を抽出し、
前記話題に基づいて表示データを生成し、
前記話題抽出部では、予め設定された複数の話題の中から所定時間ごとにランダムに話題を抽出する
婚活支援方法。
【発明の詳細な説明】
【技術分野】
【０００１】
本発明は、ユーザによるビデオ通話を活用したコミュニケーションを実現してユーザの結婚活動（以下、「婚活」と称する）を支援する婚活支援システム、婚活支援方法、サーバ装置及びプログラムに関する。
【背景技術】
【０００２】
従来、婚活に関する各種ウェブサイトが開設されており、交際相手や結婚相手を探しているユーザは、当該サイトにおいて、自己の属性情報や相手に求める条件等を入力し、ユーザ登録すれば、希望のあった相手を検索し、交際を申し込むことが可能となってきている。そして、最近では、ユーザの結婚に至る過程をより強固にサポートすべく、付加的なサービスを行うサイトも存在している。
【０００３】
そして、婚活に対して付加的なサービスを実現するための従来技術として、例えば、特許文献１では、結婚成立までのプロセスを支援するシステムが開示されている。より詳細には、このシステムでは、デートの際の会話に必要な知識を豊富にし、会話を支援することが開示されている。
【先行技術文献】
【特許文献】
【０００４】
【特許文献１】特願２００６−２４４３４９号公報
【発明の概要】
【発明が解決しようとする課題】
【０００５】
しかしながら、特許文献１に開示されたものでは、ビデオ通話によりユーザ間のコミュニケーションを取ることで婚活を支援するとの視点はなかった。
【０００６】
さらに、婚活の進行段階に応じて、ユーザ間のコミュニケーションが更に円滑に進行するように、通話画面での共通の話題提供や段階的な提示情報の選定及び提示を行うことについても何ら開示はされていなかった。
【０００７】
本発明は、このような課題に鑑みてなされたものであり、婚活をしているユーザのビデオ通話によるコミュニケーションを実現し、ビデオ通話画面における話題提供、更には婚活の進行レベルに応じた段階的なユーザ情報の提示を通じて、ユーザの婚活がより円滑に進行するように支援することを目的とする。
【課題を解決するための手段】
【０００８】
上記課題を解決するため、本発明の第１の態様に係るサーバ装置は、ユーザの結婚活動を支援するサーバ装置であって、前記ユーザの情報端末と通信する通信部と、前記ユーザのユーザ情報を記憶する記憶部と、前記情報端末間のビデオ通話を制御するビデオ通話制御部と、前記記憶部を参照して、前記ビデオ通話の際に表示する画面において提示する話題を抽出する話題抽出部と、前記記憶部を参照して、前記ビデオ通話の回数に基づいて前記ビデオ通話の際に画面に表示する項目を設定する表示項目設定部と、前記話題及び前記項目に基づいて表示データを生成する表示データ生成部と、を備え、前記話題抽出部は、前記ビデオ通話に係るユーザのユーザ情報のうち嗜好に係る情報についての共通項を抽出し、前記表示項目設定部は、ビデオ通話の回数が多くなるに従って表示項目が詳細となるように設定する。
【０００９】
本発明の第２の態様に係るサーバ装置では、第１の態様において、前記表示項目設定部は、第１回目の通話では、休日の過ごし方、趣味、好きな映画、本、人物、音楽、好きな場所を表示項目として設定し、第２回目の通話では、自己ＰＲ、特技を表示項目として設定し、交際中の通話では、結婚後の希望、絶対に譲れないことを表示項目として設定する。
【００１０】
本発明の第３の態様に係るサーバ装置では、第１又は第２の態様において、前記話題抽出部は、前記記憶部に記憶されたユーザ情報に含まれる趣味に関する興味の度合いを示す指標を参照し、ビデオ通話に係るユーザの共通項を当該指標に基づいて特定し、その共通項に係る趣味を話題として抽出する。
【００１１】
本発明の第４の態様に係るサーバ装置では、第１乃至第３の態様において、前記ビデオ通話の各回の終了時に、通話相手の好感度を入力する画面を前記情報端末にて表示させて好感度の入力を促し、入力された前記好感度を前記通話相手に通知するよう制御する主制御部を更に備えた。
【００１２】
本発明の第５の態様に係る婚活支援システムでは、複数のユーザの情報端末とサーバ装置とからなり、前記サーバ装置を介して複数のユーザの前記情報端末間でビデオ通話を行うことでユーザの結婚活動を支援する婚活支援システムであって、前記情報端末は、前記サーバ装置と通信する第１通信部と、前記サーバ装置が提供するウェブサイトを閲覧する閲覧部と、を備え、前記サーバ装置は、前記ユーザの情報端末と通信する第２通信部と、前記ユーザのユーザ情報を記憶する記憶部と、前記情報端末間のビデオ通話を制御するビデオ通話制御部と、前記記憶部を参照して、前記ビデオ通話の際に表示する画面において提示する話題を抽出する話題抽出部と、前記記憶部を参照して、前記ビデオ通話の回数に基づいて、前記ビデオ通話の際に画面に表示する項目を設定する表示項目設定部と、前記話題及び前記項目に基づいて表示データを生成する表示データ生成部と、を備え、前記話題抽出部は、前記ビデオ通話に係るユーザのユーザ情報のうち嗜好に係る情報についての共通項を抽出し、前記表示項目設定部は、ビデオ通話の回数が多くなるに従って表示項目が詳細となるように設定する。
【００１３】
本発明の第６の態様に係るプログラムは、コンピュータを、情報端末間のビデオ通話を制御するビデオ通話制御部、記憶部を参照して、前記ビデオ通話の際に表示する画面において提示する話題を抽出する話題抽出部、前記記憶部を参照して、前記ビデオ通話の回数に基づいて、前記ビデオ通話の際に画面に表示する項目を設定する表示項目設定部、及び前記話題及び前記項目に基づいて表示データを生成する表示データ生成部、として機能させ、前記話題抽出部が、前記ビデオ通話に係るユーザのユーザ情報のうち嗜好に係る情報についての共通項を抽出し、前記表示項目設定部が、ビデオ通話の回数が多くなるに従って表示項目が詳細となるように設定する。
【００１４】
そして、本発明の第７の態様に係る婚活支援方法は、ユーザの結婚活動を支援する方法であって、サーバ装置が、前記ユーザの情報端末と通信し、前記ユーザのユーザ情報を記憶し、前記情報端末間のビデオ通話を制御し、記憶部を参照して、前記ビデオ通話の際に表示する画面において提示する話題を抽出し、前記記憶部を参照して、前記ビデオ通話の回数に基づいて、前記ビデオ通話の際に画面に表示する項目を設定し、前記話題及び前記項目に基づいて表示データを生成し、前記話題の抽出ではビデオ通話に係るユーザのユーザ情報のうち嗜好に係る情報についての共通項を抽出し、前記表示する項目の設定ではビデオ通話の回数が多くなるに従って表示項目が詳細となるように設定する。
【００１５】
そして、本発明の第８の態様に係るサーバ装置は、ユーザの結婚活動を支援するサーバ装置であって、前記ユーザ及び仲人の情報端末と通信する通信部と、前記ユーザ及び仲人と関わりのあるユーザのユーザ情報を記憶する記憶部と、前記情報端末間のビデオ通話を制御するビデオ通話制御部と、前記記憶部を参照して、前記ビデオ通話の際に表示する画面において提示する話題を抽出する話題抽出部と、前記話題に基づいて表示データを生成する表示データ生成部と、を備え、前記話題抽出部は、予め設定された複数の話題の中から所定時間ごとにランダムに話題を抽出する。
【００１６】
本発明の第９の態様に係る婚活支援方法は、ユーザの結婚活動を支援する婚活支援方法であって、サーバ装置が、前記ユーザ及び仲人の情報端末と通信し、前記ユーザ及び仲人と関わりのあるユーザのユーザ情報を記憶し、前記情報端末間のビデオ通話を制御し、記憶部を参照して、前記ビデオ通話の際に表示する画面において提示する話題を抽出し、前記話題に基づいて表示データを生成し、前記話題抽出部では、予め設定された複数の話題の中から所定時間ごとにランダムに話題を抽出する。
【発明の効果】
【００１７】
本発明によれば、婚活をしているユーザのビデオ通話によるコミュニケーションを実現し、ビデオ通話画面における話題提供、更には婚活の進行レベルに応じた段階的なユーザ情報の提示を通じて、ユーザの婚活がより円滑に進行するように支援する婚活支援システム、婚活支援方法、サーバ装置、及びプログラムを提供することができる。
【図面の簡単な説明】
【００１８】
【図１】本発明の第１実施形態に係る婚活支援システムの構成図である。
【図２】同システムにおけるサーバ装置の詳細な構成図である。
【図３】同システムにおける情報端末の詳細な構成図である。
【図４】初期登録画面（プロフィール登録画面）の表示例を示す図である。
【図５】初期登録画面（希望条件登録画面）の表示例を示す図である。
【図６】同システムによる処理手順を示すフローチャートである。
【図７】紹介に係る検索結果表示画面の表示例を示す図である。
【図８】通話画面（会話１回目）の表示例を示す図である。
【図９】通話画面（会話２回目）の表示例を示す図である。
【図１０】通話画面（交際中）の表示例を示す図である。
【図１１】好感度チェック画面の表示例を示す図である。
【図１２】本発明の第２実施形態に係る婚活支援システムの構成図である。
【図１３】同システムにおけるサーバ装置の詳細な構成図である。
【図１４】仲人テーブルの一例を示す図である。
【図１５】話題テーブルの一例を示す図である。
【図１６】通話画面（仲人含む）を示す図である。
【発明を実施するための形態】
【００１９】
以下、図面を参照しつつ本発明の実施形態について説明する。
【００２０】
＜第１実施形態＞
【００２１】
図１には本発明の一実施形態に係る婚活支援システムの構成を示し説明する。
【００２２】
同図に示されるように、婚活支援システムは、サーバ装置１と、ユーザの情報端末２とがインターネット等のネットワーク３を介して接続され、構成されている。サーバ装置１は、婚活のためのウェブサイトを開設しており、ユーザは情報端末２により当該ウェブサイトにアクセスして会員登録できるようになっている。会員登録に際しては、ユーザは情報端末２を操作して自己の属性情報を入力し、登録を受ける。登録後においては、ユーザは情報端末２によりサーバ装置１の開設するウェブサイトにアクセスして、自己の希望条件に合致した結婚相手を検索することができる。検索後、交際希望の相手を選定するとビデオ通話により当該相手と会話することができる。ここで、ビデオ通話とは、相手方でリアルタイムに撮像された動画を確認しながらの音声による通話等を意味する。
【００２３】
このビデオ通話の際に、ユーザの情報端末２の画面上には、ユーザ間に共通する話題を提示することで会話の促進を図っている。この共通の話題は、サーバ装置１によりユーザの属性情報に基づいて抽出される。更に、ビデオ通話の回数が増えるに従って相手のプロフィールなどをより詳細に知ることができるように、ビデオ通話の画面において提示する内容を段階的に変更するようにしている。これにより、通常のビデオ通話と異なり、段階的にしかも着実に相手のことを知ることができるようなるので、交際、更には結婚へと両者を導くために効果的に支援することができる。
【００２４】
図２には本発明の一実施形態に係る婚活支援システムにおけるサーバ装置の詳細な構成を示し説明する。
【００２５】
同図に示されるように、サーバ装置１は、ＣＰＵ（Central Processing Unit）などの制御部１１を備えている。制御部１１は、通信部１２、記憶部１３とシステムバス１５を介して電気的に接続されている。通信部１２は、ネットワーク３を介してユーザの情報端末２と通信するための通信インタフェースである。記憶部１３は、ＲＡＭ(Random Access Memory)やＲＯＭ（Read Only Memory）やハードディスクドライブ（Hard Disc Drive）等からなり、ＲＯＭには制御部１１で実行されるプログラム１６が格納されており、その実行時にはＲＡＭがワークエリアを提供する。また、ＨＤＤには、論理的にはユーザデータベース（以下、ＤＢ）１４が記憶されている。
【００２６】
より詳細には、ユーザＤＢ１４には、各ユーザのユーザ情報として、「ユーザＩＤ」、「写真」、「ニックネーム」、「氏名」、「現住所（都道府県まで）」、「出身地（都道府県まで）」、「年齢」、「身長」、「血液型」、「体型（ほっそり／普通／ぽっちゃり／がっちり等）」、「最終学歴（例えば高卒／短大卒／専門校卒／大学卒／大学院卒／その他）」、「職業（例えば、会社員／公務員／自営業／資格職／家事手伝い／その他）」、「年収（十万円単位まで、但し、女性は「０」でも可）」、「結婚歴（なし／離別／死別）」、「学校名（自由項目）」、「休日（月、火水…不定期等」、「続柄」、「視力（矯正視力）」、「お住まいの種別（親所有／自己所有／賃貸／寮／社宅等）」、「お酒（飲む／飲まない／少し飲む）」、「たばこ（吸う／吸わない）」、「ギャンブル（する／しない）」、「子供（離別、死別の方のみ）」、「自己ＰＲ（コメント）」、「資格及び特技」、「家族構成」、「希望する交際（コメント）」、「資産及び預金」、「ペット（猫／犬／その他」、「料理（得意／普通／不得意等」、「掃除（得意／普通／不得意等）」、「洗濯（得意／普通／不得意）等」、「趣味及び興味（複数項目）」、「好きな映画、本、人物、音楽（コメント）」、「好きな場所（旅行先）(コメント)」等の情報が記憶されている。
【００２７】
これらは、ユーザ登録時に情報端末２にて入力、送信され、サーバ装置１側で制御部１１により記憶部１３のユーザＤＢ１４に格納される。
【００２８】
更に、ウェブサイトでの検索の結果、抽出された相手の中から特定した相手とのビデオ通話を実施した場合には、その相手のユーザＩＤと通話回数、及びその相手に対する好感度の点数が記憶される。
【００２９】
そして、制御部１１は、記憶部１３のプログラム１６を読み出し実行することで、主制御部１１ａ、検索部１１ｂ、ビデオ通話制御部１１ｃ、話題抽出部１１ｄ、表示項目設定部１１ｅ、表示データ生成部１１ｆ、家計収支演算部１１ｇとして機能する。
【００３０】
主制御部１１ａは、ユーザの情報端末２からのユーザ情報等を通信部１２を介して受信すると、記憶部１３のユーザＤＢ１４を更新するなど、統括的な制御を司る。検索部１１ｂは、ユーザの情報端末２より検索指示を受けると、当該ユーザのユーザ情報に含まれる希望条件を読み出し、当該希望条件に合致したユーザを特定し、情報端末２側に通信部１２を介して通知する。ビデオ通話制御部１１ｃは、ユーザの情報端末間のビデオ通話を制御する。
【００３１】
話題抽出部１１ｄは、記憶部１３のユーザＤＢ１４を参照して、ビデオ通話の際に表示する画面において提示する話題を抽出する。より詳細には、話題抽出部１１ｄは、ビデオ通話に係るユーザのユーザ情報のうち嗜好に係る情報についての共通項を話題として抽出する。例えば、話題抽出部１１ｄは、記憶部１３のユーザＤＢ１４に記憶されたユーザ情報に含まれる趣味に関する興味の度合いを示す指標を参照し、ビデオ通話に係るユーザの共通項を当該指標に基づいて特定し、その共通項に係る趣味を話題として抽出するようにしてもよい。
【００３２】
表示項目設定部１１ｅは、記憶部１３のユーザＤＢ１４を参照して、ビデオ通話の回数に基づいて、ビデオ通話の際に画面に表示する項目を設定する。より詳細には表示項目設定部１１ｅは、ビデオ通話の回数が多くなるに従って表示項目が詳細となるように設定する。例えば、表示項目設定部１１ｅは、１回目の通話では、休日の過ごし方、趣味、好きな映画、本、人物、音楽、好きな場所を表示項目として設定し、２回目の通話では、自己ＰＲ、特技を表示項目として設定し、交際中の通話では、結婚後の希望、絶対に譲れないことを表示項目として設定するようにしてよい。
【００３３】
表示データ生成部１１ｆは、話題抽出部１１ｄにより抽出された話題、及び表示項目設定部１１ｅにより設定された表示項目に基づいて、表示データをＨＴＭＬデータ等で生成する。家計収支演算部１１ｇは、ユーザ情報に基づいて、ユーザが結婚に至った場合の収支をシュミレーションする。
【００３４】
以上のほか、主制御部１１ａは、ビデオ通話の各回の終了時に、ビデオ通話の相手の好感度を入力する画面を前記情報端末にて表示させて好感度の入力を促し、入力された前記好感度をビデオ通話の相手に通知するよう制御する。
【００３５】
図３には本発明の一実施形態に係る婚活支援システムにおける情報端末の詳細な構成を示し説明する。
【００３６】
同図に示されるように、情報端末２は、ＣＰＵ等の制御部２１を備えている。制御部２１は、システムバス２７を介して、通信部２２、操作部２３、表示部２４、記憶部２５、撮像部２６、音声入出力部２７と電気的に接続されている。通信部２２は、ネットワーク３を介してサーバ装置１等と通信を行う通信インタフェースである。操作部２３はマウスやキーボード等の操作デバイスである。表示部２４は液晶ディスプレイ等の表示デバイスである。操作部２３と表示部２４とがタッチパネルとして一体化されてもよい。記憶部２５は、制御部２１で実行されるプログラム２８などを記憶し、その実行時にはワークエリアを提供する。撮像部２６は、ユーザの画像を撮像する。音声入出力部２７は、マイク等の音声入力デバイスと、スピーカ等の音声出力デバイスからなる。
【００３７】
制御部２１は、記憶部２５のプログラムを読み出し実行することで主制御部２１ａ、閲覧部２１ｂ、及び表示制御部２１ｃとして機能する。
【００３８】
主制御部２１ａは、表示部２４の画面に基づく入力データを、通信部２２を介してサーバ装置１に送信するなど、統括的な制御を司る。閲覧部２１ｂは、サーバ装置１により提供されるウェブサイトに係るＨＴＭＬファイル等に基づいて閲覧を可能とする。そのときには、表示制御部２１ｃが、表示部２４における表示を制御する。
【００３９】
ユーザの情報端末２では、図４に示されるような会員ページにて、適宜登録内容を確認し、変更することができるようになっている。このとき、趣味及び興味については、表形式で複数項目について興味のレベルを選択することができるようになっている。
【００４０】
更に、交際相手に求める希望条件についても図５に示されるような画面において、希望に関するコメントを入力することができると共に、マッチングを求める項目を選択できるようになっている。
【００４１】
以下、図６のフローチャートを参照して、本発明の一実施形態に係る婚活支援システムによる処理手順を詳細に説明する。ここでは、図７乃至図１１の各種画面に係る表示例を適宜参照する。
【００４２】
先ず、前提としてユーザは、サーバ装置１の提供するウェブサイトにおいてユーザ登録をしており、その際に、前述したユーザ情報をサーバ装置１側に送信し、該ユーザ情報がサーバ装置１側で記憶部１３のユーザＤＢ１４に登録されている。
【００４３】
ユーザが、情報端末２によりＩＤやパスワード等が入力され、サーバ装置１にログインすると（Ｓ１）、サーバ装置１では認証要求を受けて所定の認証が主制御部１１ａにより実行され（Ｓ２）、認証が成立すると、検索画面データが通信部１２を介して情報端末２に送信される（Ｓ３）。情報端末２は、検索画面データを受信すると、閲覧部２１ｂによる制御の下、表示部２４に検索画面を表示する（Ｓ４）。
【００４４】
この検索画面において、検索が選択されると（Ｓ５をＹｅｓ）、情報端末２は主制御部２１ａが検索要求をサーバ装置１側に送信する（Ｓ６）。サーバ装置１は、この検索要求を受けると、検索部１１ｂがユーザＤＢ１４を参照して、ユーザの希望条件に基づいて該当する候補者を抽出する（Ｓ７）。そして、表示データ生成部１１ｆが、検索結果画面データをＨＴＭＬ等により生成し、主制御部１１ａの制御の下、通信部１２を介して、情報端末２に送信する（Ｓ８）。情報端末２では、検索結果画面データを受信すると、閲覧部２１ｂによる制御の下、表示部２４に検索結果画面を表示する（Ｓ９）。
【００４５】
この検索結果画面の一例は、図７に示される通りであり、各候補者の写真、ニックネーム、年齢、現住所、出身地、身長、職業、年収、及び最終学歴が示される。
【００４６】
この検索結果画面で、一の候補者が選定されると（Ｓ１０をＹｅｓ）、主制御部２１ａはサーバ装置１に対して選択要求を送信する（Ｓ１１）。サーバ装置１では、選択要求を受けると、検索部１１ｂが、当該候補者の詳細情報をユーザＤＢ１４より抽出し（Ｓ１２）、表示データ生成部１１ｅが、詳細画面データを生成し、主制御部１１ａの制御の下、通信部１２を介して、情報端末２に送信する（Ｓ１３）。情報端末２では、詳細画面データを、通信部２２を介して受信すると、閲覧部２１ｂによる制御の下、詳細画面を表示部２４に表示する（Ｓ１４）。この詳細画面は、図示を省略するが、ビデオ通話を選択できるボタンが設けられている。
【００４７】
この詳細画面において、ビデオ通話が選択されると（Ｓ１５）、主制御部２１ａは通話要求をサーバ装置１側に送信する（Ｓ１６）。サーバ装置１は、通話要求を受けると、話題抽出部１１ｄが通話の相手との通話に好適な話題を抽出する（Ｓ１７）。
【００４８】
より具体的には、話題抽出部１１ｄは、記憶部１３のユーザＤＢ１４を参照して、ビデオ通話に係るユーザのユーザ情報のうち嗜好に係る情報についての共通項を話題として抽出する。例えば、話題抽出部１１ｄは、記憶部１３のユーザＤＢ１４に記憶されたユーザ情報に含まれる趣味に関する興味の度合いを示す指標を参照し、ビデオ通話に係るユーザの共通項を当該指標に基づいて特定し、その共通項に係る趣味を話題として抽出するようにしてもよい。趣味に関する興味の度合いについては、各趣味の項目に対して５段階でレベル分けされている。従って、各趣味の項目の中で、このレベルが同一又は近い項目を抽出することで、それを話題とすることができる。
【００４９】
続いて、表示項目設定部１１ｅは、記憶部１３のユーザＤＢ１４を参照して、ビデオ通話の回数に基づいて、ビデオ通話の際に画面に表示する項目を設定する。より詳細には表示項目設定部１１ｅは、ビデオ通話の回数が多くなるに従って表示項目が詳細となるように設定する。尚、この段階的な表示は、ユーザ登録時に、ユーザにより設定できるようにしてもよく、その場合には、ユーザによる設定が優先される。
【００５０】
こうして、話題及び表示項目が定まると、表示データ生成部１１ｆが、通話画面データを生成し、主制御部１１ａの制御の下、通信部１２を介してユーザの情報端末２に送信される（Ｓ１９）。ユーザの情報端末２では、通話画面データを受信すると、閲覧部２１ｂによる制御の下、表示部２４に通話画面が表示される（Ｓ２０）。そして、通話開始が選択されると、通話が開始される（Ｓ２１）。
【００５１】
例えば、１回目のビデオ通話では、図８に示されるように、抽出されたおすすめの話題に加えて、「休日の過ごし方」、「趣味」、「好きな映画、本、人物、音楽」、「好きな場所」が表示項目として表示される。２回目のビデオ通話では、図９に示されるように、抽出されたおすすめの話題に加えて、「自己ＰＲ」、「特技」が表示項目として表示される。そして、所定回数以上乃至は交際中のビデオ通話では、抽出されたおすすめの話題に加えて、「結婚後の希望」、「絶対に譲れないこと」が表示項目として表示される。
【００５２】
以上で、婚活支援システムによる一連の処理を終了することになる。尚、主制御部１１ａは、ビデオ通話の各回の終了時に、ビデオ通話の相手の好感度を入力するための図１１に示されるような画面を前記情報端末にて表示させて好感度の入力を促し、入力された前記好感度をビデオ通話の相手に通知するよう制御するようにしてもよい。
【００５３】
以上、本発明の第１実施形態について説明したが、本発明はこれに限定されることなく、その趣旨を逸脱しない範囲で種々の改良・変更が可能であることは勿論である。
【００５４】
例えば、サーバ装置１の制御部１１の話題抽出部１１ｄは、ユーザの成約に至らなかった過去の別のユーザとの通話で提示した話題は、そのユーザの良さを伝える上で好ましくない話題であるものとして、それを提示対象から除外して、より盛り上がる話題をセレクトできるようにして、婚活を支援するようにしてもよい。
【００５５】
＜第２実施形態＞
【００５６】
図１２には本発明の第２実施形態に係る婚活支援システムの構成を示し説明する。ここでは、図１と同一構成については、同一符号を付し、異なる部分を中心に説明する。
【００５７】
同図に示されるように、婚活支援システムは、サーバ装置１と、ユーザ及び仲人の情報端末２とがインターネット等のネットワーク３を介して接続され、構成されている。サーバ装置１は、婚活のためのウェブサイトを開設しており、ユーザ又は仲人は情報端末２により当該ウェブサイトにアクセスして会員登録できるようになっている。仲人は、複数のユーザと関連付けて登録されているので、ユーザから仲人を、及び仲人からユーザを特定することが可能となっている。
【００５８】
前述した第１実施形態と同様に、会員登録に際しては、ユーザは情報端末２を操作して自己の属性情報を入力し、登録を受ける。登録後においては、ユーザ又は仲人は情報端末２によりサーバ装置１の開設するウェブサイトにアクセスして、自己又は仲人の紹介者であるユーザの希望条件に合致した交際又は結婚相手を検索することができる。検索後、ユーザが交際希望の相手を選定すると、或いは仲人が紹介者であるユーザ及びその相手方を特定すると、ビデオ通話により当該相手と会話することができる。
【００５９】
ここでも、ビデオ通話とは、相手方でリアルタイムに撮像された動画を確認しながらの音声による通話等を意味する。但し、第２実施形態では、ユーザ同士のみならず、ビデオ通話に各ユーザに関わる仲人も参加できる点で第１実施形態と相違することは、先に説明した通りである。
【００６０】
このビデオ通話の際に、ユーザ又は仲人の情報端末２の画面上には、各種話題を提示することで会話の促進を図っている。この共通の話題は、サーバ装置１により話題ＤＢの話題テーブルを参照して抽出されるが、その詳細は後述する。概説すると、話題テーブルに記録された各種話題より、所定時間ごとにランダムに話題が選定される。話題は、ユーザの年齢や嗜好等に応じて複数の話題テーブルを適宜選択して選定するようにしてもよいことは勿論である。
【００６１】
図１３には本発明の第２実施形態に係る婚活支援システムにおけるサーバ装置の詳細な構成を示し説明する。ここでも、図２と同一構成については、同一符号を付し、異なる部分を中心に説明する。
【００６２】
同図に示されるように、サーバ装置１は、ＣＰＵなどからなる制御部１１を備える。制御部１１は、通信部１２、記憶部１３とシステムバス１５を介して電気的に接続されている。これら通信部１２、記憶部１３の構成及び作用は概ね前述した通りであるが、記憶部１３には、ユーザＤＢ１４に加えて、仲人ＤＢ１７、話題ＤＢ１８が論理的に記憶されている点で前述した第１実施形態と相違している。
【００６３】
ユーザＤＢ１４には、各ユーザの属性情報がユーザＩＤと紐づけて記録されている。仲人ＤＢ１７には、仲人テーブルの形式で、仲人ＩＤと紐づけて仲人の属性情報が記録されている。仲人（例えば、法人会員を含む）とユーザ（アドバイザー利用会員）とは、図１４に示されるようなテーブルでＩＤ同士が紐づけられている。
【００６４】
一方、話題ＤＢ１８には、話題テーブルの形式で、図１５に示されるように、会話ＩＤと紐づけて表示内容、つまり各種話題がテキストデータで記録されている。仲人の属性情報は、仲人の登録時に情報端末２にて入力、送信され、サーバ装置１側で制御部１１によって記憶部１３のユーザＤＢ１４に格納されることとなる。
【００６５】
制御部１１は、記憶部１３のプログラム１６を読み出し実行することで、主制御部１１ａ、検索部１１ｂ、ビデオ通話制御部１１ｃ、話題抽出部１１ｄ、表示項目設定部１１ｅ及び表示データ生成部１１ｆとして機能する。
【００６６】
主制御部１１ａは、ユーザや仲人の情報端末２からの属性情報等を、通信部１２を介して受信すると、記憶部１３のユーザＤＢ１４を更新するなど、統括的な制御を司る。検索部１１ｂは、ユーザや仲人の情報端末２より検索指示を受けると、当該ユーザ又は仲人に関係のあるユーザのユーザ情報に含まれる希望条件を読み出し、当該希望条件に合致したユーザを特定し、情報端末２側に通信部１２を介して通知する。
【００６７】
そして、ビデオ通話制御部１１ｃは、ユーザ及び仲人の情報端末２間のビデオ通話を制御する。尚、ビデオ通話にはお見合いの当事者の一方又は双方の仲人が参加してもよいことは勿論である。ビデオ通話制御部１１ｃは、ユーザがビデオ通話を所望としたときには相手方の特定に加えて、仲人の参加の可否を画面上で選択できるようになっている。その一方、仲人により所望されたときは、当該仲人がビデオ通話の当事者にしたいユーザの選定、及び当該ユーザの通話の相手方（交際相手候補）を特定し、自己を含めた形でビデオ通話を実施することが可能となる。
【００６８】
話題抽出部１１ｄは、記憶部１３の話題ＤＢ１８を参照して、ビデオ通話の際に表示する画面において提示する話題を抽出する。より詳細には、話題ＤＢ１８の話題テーブルを参照して、所定時間（例えば２分）ごとに、ランダムにテーブルから所定の話題を抽出するように話題抽出部１１ｄが制御する。
【００６９】
表示項目設定部１１ｅの作用は、第１実施形態と同様である。表示データ生成部１１ｆは、話題抽出部１１ｄにより抽出された話題、及び表示項目設定部１１ｅにより設定された表示項目に基づいて、表示データをＨＴＭＬデータ等で生成する。
【００７０】
ここで、図１６には、表示画面の一例を示し説明する。
【００７１】
同図に示されるように、ビデオ通話時には、ユーザ及び仲人の情報端末２に画面２００が表示される。ここでは、お見合いの当事者同士に加えて双方の仲人がビデオ通話に参加する場合を想定している。画面２００の上方の領域２００ａには、話題抽出部１１ｄにより抽出された話題が表示され、所定期間ごと（例えば２分）に話題が切り替わる。その下の領域２００ｂには、ビデオ通話の相手方（例えば、男性なら先方の女性）の様子が動画で表示され、その右下の領域２００ｃには自信の様子が動画で表示される。更に、その下の領域２００ｄ，２００ｅには、小さく双方の仲人の様子が表示される。従って、お見合いの当事者同士に加えて、仲人もビデオ通話に参加して、和やかなムードの下で、通話を行うことが可能となるので、交際の成約率の向上にも大きく寄与する。
【００７２】
以上、本発明の第２実施形態について説明したが、本発明は、これに限定されることなく、その趣旨を逸脱しない範囲で種々の改良・変更が可能であることは勿論である。
【００７３】
例えば、話題抽出部１１ｄは、ユーザ双方のビデオ通話時の会話のスピードに基づいて提供する話題の切り替え速度を変更するようにしてもよい。
【符号の説明】
【００７４】
１…サーバ装置、２…情報端末、３…ネットワーク、１１…制御部、１１ａ…主制御部、１１ｂ…検索部、１１ｃ…ビデオ通話制御部、１１ｄ…話題抽出部、１１ｅ…表示項目設定部、１１ｆ…表示データ生成部、１１ｇ…主制御部、１２…通話部、１３…記憶部、１４…ユーザＤＢ、１５…システムバス、１６…プログラム、１７…仲人ＤＢ，１８…話題ＤＢ、２１…制御部、２１ａ…主制御部、２１ｂ…閲覧部、２１ｃ…表示制御部、２２…通信部、２３…操作部、２４…表示部、２５…記憶部、２６…撮像部、２７…音声入出力部、２８…プログラム、２９…システムバス。
【図１】
2017138948.tif 000003
【図２】
2017138948.tif 000004
【図３】
2017138948.tif 000005
【図４】
2017138948.tif 000006
【図５】
2017138948.tif 000007
【図６】
2017138948.tif 000008
【図７】
2017138948.tif 000009
【図８】
2017138948.tif 000010
【図９】
2017138948.tif 000011
【図１０】
2017138948.tif 000012
【図１１】
2017138948.tif 000013
【図１２】
2017138948.tif 000014
【図１３】
2017138948.tif 000015
【図１４】
2017138948.tif 000016
【図１５】
2017138948.tif 000017
【図１６】
2017138948.tif 000018